(57)【要約】【課題】  表札を簡単に取り替えることができると共に、表札が確実に固定されるようにする。【解決手段】  ネームプレート１の表面に名前を示す文字や図形が表示され、その裏面にはマグネット４が設けられる。フレーム２には、ネームプレート１に対応する形状の凹部５が設けられる。凹部５には、強磁性体の金属板６ａ、６ｂが配設される。ネームプレート１を凹部５に嵌め込み、マグネット４の磁力により、ネームプレート１をフレーム５に固定させる。ネームプレート１をフレーム５に磁力で固定させているので、ネームプレート１が簡単に交換できると共に、ネームプレート１外周と凹部５の内周とが隙間無く嵌り込んでいるので、ネームプレート１の縁に指先を引っかけることができず、ネームプレート１が簡単に外されることがない。【選択図】        図１
0003117974.tif 000002
【実用新案登録請求の範囲】
【請求項１】
表面に名前を示す文字や図形が表示され、裏面にマグネットが設けられたネームプレートと、
前記ネームプレートに対応する形状の凹部を有し、前記凹部に強磁性体の金属が配設されたフレームとからなり、
前記ネームプレートを前記凹部に嵌め込み、前記マグネットの磁力により、前記ネームプレートを前記フレームに固定するようにしたことを特徴とする表札。
【請求項２】
表面に名前を示す文字や図形が表示され、裏面に強磁性体の金属が設けられたネームプレートと、
前記ネームプレートに対応する形状の凹部を有し、前記凹部にマグネットが配設されたフレームとからなり、
前記ネームプレートを前記凹部に嵌め込み、前記マグネットの磁力により、前記ネームプレートを前記フレームに固定するようにしたことを特徴とする表札。
【請求項３】
表面に名前を示す文字や図形が表示され、強磁性体の金属板からなる金属ネームプレートと、
前記金属ネームプレートに対応する形状の凹部を有し、前記凹部にマグネットが配設されたフレームとからなり、
前記金属ネームプレートを前記凹部に嵌め込み、前記マグネットの磁力により、前記金属ネームプレートを前記フレームに固定するようにしたことを特徴とする表札。
【請求項４】
前記強磁性体の金属は、鉄、ニッケル又はそれらを含む合金であることを特徴とする請求項１乃至３に記載の表札。
【請求項５】
更に、表札を壁に固定するための取付けプレートを設け、前記フレームと前記取付けプレートとをビスで固定するようにしたことを特徴とする請求項１乃至３に記載の表札。
【請求項６】
前記ネームプレートとして、外形の大きさが等しくデザインの異なる複数種類のものを用意するようにしたことを特徴とする請求項１乃至３に記載の表札。
【考案の詳細な説明】
【技術分野】
【０００１】
本考案は、表札に関するもので、特に、ネームプレートを簡単に交換できるものに関する。
【背景技術】
【０００２】
従来の表札は、木材や石材に単純な書体で名前を表示したシンプルなデザインのものが殆どであったが、近年の表札は、各種の書体を使い、また、文字ばかりでなく、絵や柄を入れた、バラエティーに富んだものになっている。そこで、各種のデザインの表札を用意し、ユーザの好みに応じて、表札を交換することが考えられる。
【０００３】
容易に交換可能な従来の表札としては、例えば特許文献１に示すようなものが提案されている。特許文献１に示される表札は、基板と、基板の一方の面に取り付けられた複数のスペーサと、基板からスペーサの高さだけ間隔を隔てるように、ボルトによってスペーサに取り外し可能に取り付けられ、名前や住所等の文字を表示するための表示板とを備えるようにしたものである。
【０００４】
また、特許文献２には、裏面に磁石を配設するようにした表札が記載されている。このように、裏面に磁石を配設すれば、表札を簡単に取り替えることができる。
【特許文献１】登録実用新案第３０５１０５３号公報
【特許文献２】実開昭６３−１７８８８０号公報
【考案の開示】
【考案が解決しようとする課題】
【０００５】
ところが、特許文献１の表札では、表札を交換する際に、ボルトを外して表示板を取り替える必要があり、表札の取り替えが簡単に行えない。
【０００６】
また、特許文献２に示されているように、表札の裏面に磁石を配設するようにした場合には、表札の固定が不完全になると共に、表札が他人に持ち去られたり、いたずらで外されたりする危険性が高い。
【０００７】
つまり、図９に示すように、表札１０１の裏面に磁石１０２を配設し、表札１０１を金属台１０３の上に単に置いて固定した場合、表札１０１の縁に指先１０４ａ、１０４ｂを引っかければ、表札１０１は金属台１０３から簡単に外れてしまう。このため、表札１０１が持ち去られたり、いたずらで外されたりすることが頻繁に起こり得る。
【０００８】
本考案は、上述の課題を鑑み、表札を簡単に取り替えることができると共に、表札が確実に固定されるようにした表札を提供することを目的とする。
【課題を解決するための手段】
【０００９】
上述の課題を解決するために、第１の考案は、表面に名前を示す文字や図形が表示され、裏面にマグネットが設けられたネームプレートと、ネームプレートに対応する形状の凹部を有し、凹部に強磁性体の金属が配設されたフレームとからなり、ネームプレートを凹部に嵌め込み、マグネットの磁力により、ネームプレートをフレームに固定するようにしたことを特徴とする表札を提供する。
【００１０】
第２の考案は、表面に名前を示す文字や図形が表示され、裏面に強磁性体の金属が設けられたネームプレートと、ネームプレートに対応する形状の凹部を有し、凹部にマグネットが配設されたフレームとからなり、ネームプレートを凹部に嵌め込み、マグネットの磁力により、ネームプレートをフレームに固定するようにしたことを特徴とする表札を提供する。
【００１１】
第３の考案は、表面に名前を示す文字や図形が表示され、強磁性体の金属板からなる金属ネームプレートと、金属ネームプレートに対応する形状の凹部を有し、凹部にマグネットが配設されたフレームとからなり、金属ネームプレートを凹部に嵌め込み、マグネットの磁力により、金属ネームプレートをフレームに固定するようにしたことを特徴とする表札を提供する。
【００１２】
好ましくは、強磁性体の金属は、鉄、ニッケル又はそれらを含む合金であることを特徴とする。
【００１３】
好ましくは、更に、表札を壁に固定するための取付けプレートを設け、フレームと取付けプレートとをビスで固定するようにしたことを特徴とする。
【００１４】
好ましくは、ネームプレートとして、外形の大きさが等しくデザインの異なる複数種類のものを用意するようにしたことを特徴とする。
【考案の効果】
【００１５】
第１の考案によれば、表面に名前を示す文字や図形が表示され、裏面にマグネットが設けられたネームプレートと、ネームプレートに対応する形状の凹部を有し、凹部に強磁性体の金属が配設されたフレームとからなり、ネームプレートを凹部に嵌め込み、マグネットの磁力により、ネームプレートをフレームに固定するようにしているので、ネームプレートが簡単に交換できると共に、ネームプレートが確実に固定され、ネームプレートが持ち去られたり、いたずらで外されたりする危険性が殆どなくなる。
【００１６】
また、第２の考案によれば、表面に名前を示す文字や図形が表示され、裏面に強磁性体の金属が設けられたネームプレートと、ネームプレートに対応する形状の凹部を有し、凹部にマグネットが配設されたフレームとからなり、ネームプレートを凹部に嵌め込み、マグネットの磁力により、ネームプレートをフレームに固定するようにしているので、ネームプレートが簡単に交換できると共に、ネームプレートが確実に固定され、ネームプレートが持ち去られたり、いたずらで外されたりする危険性が殆どなくなる。
【００１７】
また、第３の考案によれば、表面に名前を示す文字や図形が表示され、強磁性体の金属板からなる金属ネームプレートと、金属ネームプレートに対応する形状の凹部を有し、凹部にマグネットが配設されたフレームとからなり、金属ネームプレートを凹部に嵌め込み、マグネットの磁力により、金属ネームプレートをフレームに固定するようにしているので、ネームプレートが簡単に交換できると共に、ネームプレートが確実に固定され、ネームプレートが持ち去られたり、いたずらで外されたりする危険性が殆どなくなる。
【００１８】
また、本考案では、強磁性体の金属は、鉄、ニッケル又はそれらを含む合金とすることで、磁力によりネームプレートをフレームに固定することができる。
【００１９】
また、本考案では、更に、表札を壁に固定するための取付けプレートを設け、フレームと取付けプレートとをビスで固定することにより、表札を壁等に確実に固定できる。
【００２０】
また、本考案では、ネームプレートとして、外形の大きさが等しくデザインの異なる複数種類のものを用意することにより、ユーザの好みに応じて、表札を交換することができる。
【考案を実施するための最良の形態】
【００２１】
第１実施形態．
以下、本考案の実施の形態について図面を参照しながら説明する。図１は、本考案の第１実施形態を示すものである。図１において、１はネームプレート、２はフレーム、３は取付けプレートである。
【００２２】
ネームプレート１は、例えば、ＡＢＳ（Acrylonitrile Butadiene Styrene polymer）樹脂、アクリル、ステンレス等からなる。ネームプレート１の表面には、名前や住所等を示す文字や図形が表示されている。ネームプレート１の裏面には、図２に示すように、マグネット４が積層されている。なお、マグネット４はネームプレート１の裏面全体に設ける必要はなく、金属板６ａ、６ｂと対応する位置にだけ設けるようにしても良い。また、マグネット４は板状のものでもよくシール状のものでもよい。
【００２３】
フレーム２は、例えばアクリル樹脂からなり、フレーム２には、凹部５が設けられる。凹部５の形状はネームプレート１の外形に対応している。凹部５内には、鉄、ニッケル、又はステンレスのようなそれらを含む合金からなる強磁性体の金属板６ａ及び６ｂが配設される。また、凹部５内には、ビス穴７ａ及び７ｂが穿設される。
【００２４】
取付けプレート３は、例えばステンレス板からなる。取付けプレート３には、ナット８ａ及び８ｂが設けられる。ナット８ａ及び８ｂの位置は、フレーム２の凹部５内のビス穴７ａ及び７ｂの位置と対応しており、ナット８ａ及び８ｂの内径は螺刻されている。
【００２５】
本考案の第１実施形態において、表札を取り付ける際には、接着材等で表札を取り付ける壁に取付けプレート３を固定する。次に、取付けプレート３上にフレーム２を置き、ビス９ａ及び９ｂをビス穴７ａ及び７ｂを介してナット８ａ及び８ｂに螺合させ、フレーム２を取付けプレート３に固定する。そして、フレーム２の凹部５内に、ネームプレート１を嵌め込む。凹部５には金属板６ａ及び６ｂが配設され、ネームプレート１の裏面にはマグネット４が積層されている。したがって、ネームプレート１をフレーム２の凹部５内に嵌め込むと、ネームプレート１は凹部５内に磁力により固定される。
【００２６】
本発明の第１実施形態の表札は、ユーザの好みに応じて、ネームプレート１を簡単に交換することができる。つまり、ネームプレート１としては、図３に示すように、その表面のデザインの異なる複数種類のものが用意されている。各ネームプレートは、全て、凹部５の大きさに対応するように規格化されている。ユーザは、これら各種のネームプレートの中から、気に入ったものを選んで、取り替えて楽しむことができる。
【００２７】
ネームプレートを交換する場合には、図４に示したように、吸盤１１をネームプレート１の表面に吸着させ、吸盤１１を持ち上げる。ネームプレート１は磁力により固定されているので、吸盤１１をネームプレート１の表面に吸着させ、吸盤１１を持ち上げれば、ネームプレート１をフレーム２から簡単に外すことができる。ネームプレート１が外れたら、新しいネームプレート１をフレーム２の凹部５内に嵌め込み、磁力によりフレーム２の凹部５内に固定させる。
【００２８】
以上説明したように、本考案の第１実施形態の表札は、フレーム２にネームプレート１の外形に対応した形状の凹部５を設け、この凹部５内にネームプレート１を嵌め込み、磁力により、ネームプレート１を凹部５内に固定するようにしている。このため、ネームプレート１が確実に固定されると共に、ネームプレート１が持ち去られたり、いたずらで外されたりすることが防止できる。
【００２９】
つまり、従来の例では、ネームプレートを金属板の上に単に置いて固定してあるので、ネームプレートの縁に指先の爪を引っかければ、ネームプレートは金属板から簡単に外れてしまう。
【００３０】
これに対して、本考案の第１実施形態の表札では、図４に示すように、フレーム２の凹部５内にネームプレート１が嵌め込まれている。この場合、ネームプレート１外周と凹部５の内周とが隙間無く嵌り込んでいるので、ネームプレート１の縁に指先を引っかけることができず、ネームプレート１が簡単に外されることがない。
【００３１】
第２実施形態．
図５及び図６は、本考案の第２実施形態を示すものである。上述の第１実施形態では、ネームプレート１の裏面にマグネット４を積層し、フレーム２の凹部５内に金属板６ａ及び６ｂを配設している。これに対して、第２実施形態では、図６に示すように、ネームプレート１の裏面に強磁性体の金属板１６を積層し、図５に示すように、フレーム２の凹部５内にマグネット１４ａ及び１４ｂを配設するようにしている。なお、金属板１６はネームプレート１の裏面全体に設ける必要はなく、マグネット１４ａ、１４ｂと対応する位置にだけ設けるようにしても良い。他の構成については、上述の第１実施形態と同様であり、同一部分には同一符号を付し、その説明を省略する。
【００３２】
第３実施形態．
図７及び図８は、本考案の第３実施形態を示すものである。上述の第２実施形態では、ネームプレート１の裏面に金属板１６を積層している。これに対して、第３実施形態では、図８に示すように、ネームプレート１全体を強磁性体の金属板の金属ネームプレート２１を用いるようにしている。図７に示すように、フレーム２の凹部５内にマグネット１４ａ及び１４ｂを配設するようにしている。他の構成については、上述の第２実施形態と同様であり、同一部分には同一符号を付し、その説明を省略する。
【００３３】
本考案は、上述した実施形態に限定されるものではなく、本考案の要旨を逸脱しない範囲内で様々な変形や応用が可能である。
【産業上の利用可能性】
【００３４】
本考案は、門柱や玄関の壁等に取り付けて居住者の名前や住所を表示する表札としてばかりでなく、子供部屋や台所等を表示する表札として用いたり、マンションやアパートのドアに取り付ける表札として用いたりすることが可能である。
【図面の簡単な説明】
【００３５】
【図１】本考案の第１実施形態の分解斜視図である。
【図２】本考案の第１実施形態におけるネームプレートの説明に用いる断面図である。
【図３】本考案の第１実施形態における各種のネームプレートの説明図である。
【図４】本考案の第１実施形態におけるネームプレートの交換の説明に用いる斜視図である。
【図５】本考案の第２実施形態の分解斜視図である。
【図６】本考案の第２実施形態におけるネームプレートの説明に用いる断面図である。
【図７】本考案の第３実施形態の分解斜視図である。
【図８】本考案の第３実施形態におけるネームプレートの説明に用いる断面図である。
【図９】従来の本考案の裏面に磁石を配設するようにした表札の説明に用いる側面図である。
【符号の説明】
【００３６】
１  ネームプレート
２  フレーム
３  取付けプレート
４  マグネット
５  凹部
６ａ，６ｂ  金属板
７ａ，７ｂ  ビス穴
８ａ，８ｂ  ナット
９ａ，９ｂ  ビス
１１  吸盤
１４ａ，１４ｂ  マグネット
１６  金属板
２１  金属ネームプレート
【図１】
0003117974.tif 000003
【図２】
0003117974.tif 000004
【図３】
0003117974.tif 000005
【図４】
0003117974.tif 000006
【図５】
0003117974.tif 000007
【図６】
0003117974.tif 000008
【図７】
0003117974.tif 000009
【図８】
0003117974.tif 000010
【図９】
0003117974.tif 000011